(57)【要約】      （修正有）【課題】種々の症状に対応できる複数のマッサージ機能と調整機能を備え、操作性に優れた足の温熱・マッサージ装置を提供する。【解決手段】足の温熱・マッサージ装置１は、施療時に足を載せる載置台３と、載置台３に載せた足の甲を覆うフード５と、載置台３に載せた足裏を温める温熱ユニット７と、載置台３に載せた足裏を振動マッサージする振動マッサージユニット９と、載置台３に載せた足裏を低周波マッサージする低周波マッサージユニット１１と、載置台３に載せた足の甲をエアの膨張と収縮を利用して断続的に押圧するエアマッサージユニット１３と、各ユニット７、９、１１、１３の作動及び停止と、作動モードの切り替え及び強弱の調整と、作動メニューの切り替えを制御する制御装置とを備える。【選択図】図１
0003176982.tif 000002
【実用新案登録請求の範囲】
【請求項１】
施療時に足を載せる載置台と、
前記載置台に載せた足の甲を覆うフードと、
前記載置台に載せた足裏を温める温熱ユニットと、
前記載置台に載せた足裏を振動マッサージする振動マッサージユニットと、
前記載置台に載せた足裏を低周波マッサージする低周波マッサージユニットと、
前記載置台に載せた足の甲をエアの膨張と収縮を利用して断続的に押圧するエアマッサージユニットと、
前記各ユニットの作動及び停止と、作動モードの切り替え及び強弱の調整と、作動メニューの切り替えを制御する制御装置とを備えていることを特徴とする足の温熱・マッサージ装置。
【請求項２】
前記載置台には、両足を同時に載せることができる足型をした載置面が設けられていることを特徴とする請求項１記載の足の温熱・マッサージ装置。
【請求項３】
前記載置台には、電源のＯＮ、ＯＦＦの切り替えと、前記各ユニットの作動及び停止と、作動モードの切り替え及び強弱の調整と、作動メニューの切り替えを設定する場合に使用する操作ボタンのすべてまたはその一部が設けられていることを特徴とする請求項１または２記載の足の温熱・マッサージ装置。
【請求項４】
前記載置台には、電源のＯＮ、ＯＦＦの切り替えと、前記各ユニットの作動及び停止と、作動モードの切り替え及び強弱の調整と、作動メニューの切り替えのすべてまたはその一部を遠隔操作で実施し得るリモートコントローラが着脱可能に設けられていることを特徴とする請求項１〜３のいずれかに記載の足の温熱・マッサージ装置。
【請求項５】
前記フードの上面には、前記各ユニットの作動状態や作動モード及び強弱のレベル及び作動メニューを表示するモニター表示部が設けられていることを特徴とする請求項１〜４のいずれかに記載の足の温熱・マッサージ装置。
【考案の詳細な説明】
【技術分野】
【０００１】
本考案は、足の甲や足裏を温めたり、機械的ないし電気的な刺激を加えてマッサージする足の温熱・マッサージ装置に関する。
【背景技術】
【０００２】
従来から下記の特許文献１、２に示すように足の甲や足裏を対象にしたマッサージ装置が種々開発されている。このうち特許文献１に開示されている足マッサージ装置は、エアセルの膨張と収縮を利用したエアマッサージ機能と、往復運動機構によって所定軌道に沿って往復動可能な指圧マッサージ機能とを備えた、足の甲と足裏の両方に対応したマッサージ装置である。
【０００３】
一方、特許文献２に開示されている足ツボ刺激装置は、足裏に点在するツボに相当する位置に複数の電極を配置し、これらの電極に低周波のパルス電流を印加することによって行う低周波マッサージ機能を備えた足裏を対象にしたマッサージ装置である。
この他、足裏全体を振動させることによってマッサージを行う振動マッサージ機能を備えマッサージ装置も存在しており、足湯のように足を温めることによって足の血行が良くなり、足の疲れが取れることも広く知られている。
【先行技術文献】
【特許文献】
【０００４】
【特許文献１】特開２０００−１６７０２１号公報
【特許文献２】実用新案登録第３０１０８１２号公報
【考案の概要】
【考案が解決しようとする課題】
【０００５】
しかし、足の痛みや血行が悪くなったり疲れが取れない要因は、千差万別であり、上記個別のマッサージ機能では治癒できなかった症状が、上記個別のマッサージ機能を組み合わせることによって改善することも珍しくない。また、同一のマッサージ機能でも強弱を変えることによって効果に違いが出てくる。
一方、上記個別のマッサージ機能を複数設けて多機能化し、細かな調整が可能な構成にすれば種々のユーザに対応できるが、操作が複雑になって使用が敬遠される原因になってしまう。
【０００６】
本考案は、このような点に基づいてなされたものでその目的とするところは、種々の症状に対応できる複数のマッサージ機能と調整機能を備え、操作性にも優れた足の温熱・マッサージ装置を提供することにある。
【課題を解決するための手段】
【０００７】
上記目的を達成するべく本考案の請求項１による足の温熱・マッサージ装置は、施療時に足を載せる載置台と、前記載置台に載せた足の甲を覆うフードと、前記載置台に載せた足裏を温める温熱ユニットと、前記載置台に載せた足裏を振動マッサージする振動マッサージユニットと、前記載置台に載せた足裏を低周波マッサージする低周波マッサージユニットと、前記載置台に載せた足の甲をエアの膨張と収縮を利用して断続的に押圧するエアマッサージユニットと、前記各ユニットの作動及び停止と、作動モードの切り替え及び強弱の調整と、作動メニューの切り替えを制御する制御装置とを備えていることを特徴とするものである。
【０００８】
また、請求項２による足の温熱・マッサージ装置は、請求項１記載の足の温熱・マッサージ装置において、前記載置台には、両足を同時に載せることができる足型をした載置面が設けられていることを特徴とするものである。
【０００９】
また、請求項３による足の温熱・マッサージ装置は、請求項１または２記載の足の温熱・マッサージ装置において、前記載置台には、電源のＯＮ、ＯＦＦの切り替えと、前記各ユニットの作動及び停止と、作動モードの切り替え及び強弱の調整と、作動メニューの切り替えを設定する場合に使用する操作ボタンのすべてまたはその一部が設けられていることを特徴とするものである。
【００１０】
また、請求項４による足の温熱・マッサージ装置は、請求項１〜３のいずれかに記載の足の温熱・マッサージ装置において、前記載置台には、電源のＯＮ、ＯＦＦの切り替えと、前記各ユニットの作動及び停止と、作動モードの切り替え及び強弱の調整と、作動メニューの切り替えのすべてまたはその一部を遠隔操作で実施し得るリモートコントローラが着脱可能に設けられていることを特徴とするものである。
【００１１】
また、請求項５による足の温熱・マッサージ装置は、請求項１〜４のいずれかに記載の足の温熱・マッサージ装置において、前記フードの上面には、前記各ユニットの作動状態や作動モード及び強弱のレベル及び作動メニューを表示するモニター表示部が設けられていることを特徴とするものである。
【００１２】
そして、上記手段によって以下のような作用が得られる。まず、温熱ユニットと、振動マッサージユニットと、低周波マッサージユニットと、エアマッサージユニットとの機能を異にする４つのユニットが設けられているから、これらを単独で使用したり、組み合わせて使用することで種々の症状の足の治療やマッサージに対応できるようになる。
また、上記各ユニットの作動及び停止と、作動モードの切り替え及び強弱の調整と、作動メニューの切り替えは、制御装置によって手動ないし自動で制御されるから操作性も良好である。
【００１３】
また、上記載置台に両足を同時に載せることができる足型をした載置面を設けた場合には、両足を同時に施療できるようになり、施療時間の短縮が図られる。
また、載置面を足型とすることで、足を載置する場所が明確になり、足を載置する場所のばら付きが抑えられるから、適切な治療やマッサージを適切な場所に対して効率的に実施できるようになる。
【００１４】
また、載置台に対して各種の設定を実行する場合に使用する操作ボタンのすべてまたはその一部を設けた場合には、治療やマッサージが行われている部位の近くで、これらの効果を確認しながら各種の設定を切り替えることが可能になる。また、載置台と別体構造のリモートコントローラを使用した場合に問題になるリモートコントローラの紛失の問題が防止ないし低減される。
【００１５】
また、載置台に対して各種の設定のすべてまたはその一部を遠隔操作で実施し得るリモートコントローラを着脱可能に設けた場合には、使用時においては、リモートコントローラを載置台から取り外して手に持ち、無理のない姿勢で各種の設定を行うことが可能になる。
一方、使用しない時は、リモートコントローラを載置台に取り付けておくことでリモートコントローラの紛失を防止することができる。
【００１６】
また、フードの上面にモニター表示部を設けた場合には、設定内容の確認や治療ないしマッサージの進捗状況をいつでも確認できるようになる。また、フードの上面はユーザの目に最も近い位置であるからモニター表示部の視認性も良好になる。
【考案の効果】
【００１７】
本考案の足の温熱・マッサージ装置によると、種々の症状に対応できる複数のマッサージ機能と調整機能を備え、ユーザの選択によってマニュアル操作で各ユニットの作動及び停止や作動モードの切り替え及び強弱の調整を行うこともできるし、予め用意されている作動メニューによってこれらの切り替えを自動的に行うことが可能な操作性に優れた足の温熱・マッサージ装置を提供することが可能になる。
【図面の簡単な説明】
【００１８】
【図１】本考案の実施の形態を示す図で、足の温熱・マッサージ装置を示す斜視図である。
【図２】本考案の実施の形態を示す図で、足の温熱・マッサージ装置を示す平面図である。
【図３】本考案の実施の形態を示す図で、足の温熱・マッサージ装置を示す底面図である。
【図４】本考案の実施の形態を示す図で、足の温熱・マッサージ装置を示す側面図である。
【図５】本考案の実施の形態を示す図で、足の温熱・マッサージ装置を示す分解斜視図である。
【図６】本考案の実施の形態を示す図で、モニター表示部を拡大して示す平面図である。
【図７】本考案の実施の形態を示す図で、リモートコントローラを拡大して示す平面図である。
【図８】本考案の実施の形態を示す図で、制御装置の入出力インターフェースの概要を示すブロック図である。
【図９】本考案の実施の形態を示す図で、作動メニューの一例を示すフローチャートである。
【図１０】本考案の実施の形態を示す図で、作動モードの一例を図表化して示す説明図である。
【考案を実施するための形態】
【００１９】
以下、図１〜図１０に示す実施の形態を例にとって、本考案の足の温熱・マッサージ装置の構成と作動態様について説明する。
本考案の足の温熱・マッサージ装置１は、施療時に足を載せる載置台３と、当該載置台３に載せた足の甲を覆うフード５と、上記載置台３に載せた足裏を温める温熱ユニット７と、上記載置台３に載せた足裏を振動マッサージする振動マッサージユニット９と、上記載置台３に載せた足裏を低周波マッサージする低周波マッサージユニット１１と、上記載置台３に載せた足の甲をエアの膨張と収縮を利用して断続的に押圧するエアマッサージユニット１３と、上記各ユニット７、９、１１、１３の作動及び停止と、作動モードの切り替え及び強弱の調整と、作動メニューの切り替えを制御する制御装置１５とを備えることによって基本的に構成されている。
【００２０】
そして、本実施の形態では、両足を同時に載せることができる足型の載置面１７Ｌ、１７Ｒを備えた載置台３が図示されており、該載置台３の上方には、載置台３の上面における左右の縁部からアーチ状に立ち上げられている上述したフード５が設けられている。
尚、上記フード５は、湾曲したアーチ型形状を有しており、上記載置台３上に載置された両足の甲を同時に覆い隠すことができるように構成されている。
【００２１】
載置台３は、図５に示すように上下に二分割できる一例として合成樹脂製の上部ケース１９と下部ケース２１によって構成されており、これらのケース１９、２１の内部には、後述する制御装置１５が搭載された電子基板２３と、後述するエアマッサージユニット１３の構成部材になっているエアコンプレッサ２５と、後述する振動マッサージユニット９の構成部材になっている振動モータ２９とが収容されている。
また、上部ケース２１には、上面に上記載置面１７Ｌ、１７Ｒを備えた後述する低周波マッサージユニット１１Ｌ、１１Ｒを収容するための窓部２９Ｌ、２９Ｒが設けられており、該窓部２９Ｌ、２９Ｒの図５中、奥部側の左右に上記フード５の下端部３１を受け入れる係合凹部３３Ｌ、３３Ｒが形成されている。
【００２２】
また、上記窓部２９Ｌ、２９Ｒに挟まれた図５中、奥部側の中間部には、上述したフード５の下面中央を下方から支持する支持部材３５が立ち上げられている。
また、上記窓部２９Ｌ、２９Ｒに挟まれた図５中、手前側の中間部には、後述するリモートコントローラ（以下、リモコンという）３７を収容するための収容凹部３９が形成されており、該収容凹部３９の一例として底面中央には収容凹部３９内に収容されたリモコン３７を磁力によって吸着するためのマグネット４１が取り付けられている。
更に、上記収容凹部３９の図５中、手前側のスペースには、後述する予め用意された作動メニューを実行する場合に押すメニューボタン４３と、電源のＯＮ、ＯＦＦを切り替える電源ボタン４５を収容するための凹部４４と凹部４６がそれぞれ左右に並ぶように設けられている。
【００２３】
フード５は、後述するエアマッサージユニット１３を取り付けるための支持部材として機能し、その上面中央には、後述する各ユニット７、９、１１、１３の作動状態や作動モード及び強弱のレベル及び作動メニューを表示するモニター表示部４７が設けられている。
具体的には、図６に示すように、低周波マッサージユニット１１を使用して行う低周波治療モードの一例として５段階の番号で示されるモード表示４９ａ、振動マッサージユニット９の作動時に点灯するバイブレーション表示４９ｂ、振動マッサージの強さを表す一例として３段階の強さ表示４９ｃ、温熱ユニット７の作動時に点灯する温熱表示４９ｄ、低周波マッサージユニット１１による施療部位を表示する治療部位表示４９ｅ、施療残り時間を表示するタイマー表示４９ｆ、作動メニューの一例である、おまかせ機能作動時に点灯し、治療の強さを低、中、高の一例として３段階で表す、おまかせ機能表示４９ｇ、低周波治療の強さを表す一例として１０段階の低周波強さ表示４９ｈ、エアマッサージユニット１３の作動時に点灯するエアマッサージ表示４９ｉ、エアマッサージ治療の強さを表す一例として３段階のエアマッサージ強さ表示４９ｊ、低周波マッサージユニット１１の作動時に点灯し、低周波のパルス電流の出力の仕方を表示する低周波作動表示４９ｋの１１種類が表示されるように構成されている。
【００２４】
温熱ユニット７は、図５に示すように左右に設けられる低周波マッサージユニット１１Ｌ、１１Ｒの一部に組み込まれて配置されている平面視円弧状に湾曲された赤外線ヒータ５１Ｌ、５１Ｒと、これらの赤外線ヒータ５１Ｌ、５１Ｒを駆動するための作動電流を供給する電子回路とによって構成されており、該電子回路は、上述した電子基板２３中に組み込まれている。
振動マッサージユニット９Ｌ、９Ｒは、下部ケース２１内に左右に分かれて２個収容されている上述した振動モータ２７Ｌ、２７Ｒと、これらの振動モータ２７Ｌ、２７Ｒを駆動するための作動電流を供給する電子回路とによって構成されており、該電子回路は、上述した電子基板２３中に組み込まれている。尚、上記駆動モータ２７Ｌ、２７Ｒには携帯電話等に搭載されているのと同様の偏心して回転する起振体を備えた構造が採用されている。
【００２５】
低周波マッサージユニット１１Ｌ、１１Ｒは、低周波のパルス電流を発生させる電極がその一部に組み込まれた足型をしたユニット本体５３と、該ユニット本体５３を支承するゴム足５５と、左右の低周波マッサージユニット１１Ｌ、１１Ｒの電極に低周波治療を行うための低周波のパルス電流を供給する電子回路とによって構成されており、該電子回路は、上述した電子基板２３中に組み込まれている。
尚、上述したユニット本体５３は導電性を有する軟質の合成樹脂材料等によって形成されており、その上面が足を直接載せる上述した載置面１７になっている。
【００２６】
また、上記載置面１７には、多数の突起５７が設けられていて、載置面１７上に載置される足裏を刺激して指圧効果が得られるようになっている。
また、上記ユニット本体５３の周囲には、上記振動モータ２７から伝えられた振動が上部ケース１９に伝わるのを防止する防振リング５９が嵌め込まれている。
【００２７】
エアマッサージユニット１３は、前記フード５の裏面側の左右に配置されている２枚のエアパッド６１Ｌ、６１Ｒと、これらのエアパッド６１Ｌ、６１Ｒを膨張、収縮させるためのエアの給排気を行う前述したエアコンプレッサ２５と、該エアコンプレッサ２５を駆動するための作動電流を供給する電子回路とによって構成されており、該電子回路は、上述した電子基板２３中に組み込まれている。
また、上記エアコンプレッサ２５には、給気用のホース６３が２本と排気用のホース６５が１本、一例として接続されている。
【００２８】
制御装置１５は、図８に示すＰＩＣマイコンによって一例として構成されており、該制御装置１５に接続される入力インターフェースとしては、前述した上部ケース１９の手前側に配置された作動メニューを実行するためのメニューボタン４３によって指令される信号、電源ボタン４５による電源のＯＮ、ＯＦＦ信号、次に述べるリモコン３７から指令される信号が一例として備えられている。
また、上記制御装置１５に接続される出力インターフェースとしては、上記温熱ユニット７を作動させるための信号、上記振動マッサージユニット９を作動させるための信号、上記低周波マッサージユニット１１を作動させるための信号、上記エアマッサージユニット１３を作動させるための信号、上記モニター表示部４７を表示させるための信号、上記各ユニット７、９、１１、１３の作動モードを切り替えたり、強弱を調整するための信号、予め設定されている作動メニューに切り替えて実行するための信号が一例として備えられている。
【００２９】
また、リモコン３７には、上記振動マッサージユニット９を作動させる場合に押し、押すごとに一例として３段階に強さが切り替わるバイブボタン６７ａと、上記エアーマッサージユニット１３を作動させる場合に押し、押すごとに一例として３段階に強さが切り替わるエアーボタン６７ｂと、上記低周波マッサージユニット１１を使用して低周波治療を行う際の一例として５種類の作動モードを選択する時に押すモードボタン６７ｃと、予め設定されている作動メニューを使用する場合に押し、押すごとにＯＮ、ＯＦＦが切り替わる、おまかせボタン６７ｄと、電源のＯＮ、ＯＦＦを切り替える電源ボタン６７ｅと、上記温熱ユニット７を作動させる場合に押し、押すごとにＯＮ、ＯＦＦが切り替わる温熱ボタン６７ｆと、上記低周波マッサージユニット１１を使用して低周波治療を行う場合に強さを上げる時に押す、つよいボタン６７ｇと、付属の図示しない低周波パットを使用して低周波治療を行う場合に押すパットボタン６７ｈと、上記低周波マッサージユニット１１を使用して足裏の低周波治療を行う場合に押す足裏ボタン６７ｉと、上記低周波マッサージユニット１１を使用して低周波治療を行う場合に強さを下げる時に押す、よわいボタン６７ｊの計１０種類の操作ボタン６７が設けられている。
【００３０】
そして、前述した載置台３に対して設けられているメニューボタン４３や上記リモコン３７に対して設けられている、おまかせボタン６７ｄを押すことによって作動される作動メニューとしては、図９のフローチャートに示すようにステップＳ１で上記低周波マッサージユニット１１を使用した１回目の低周波マッサージを所定時間行い、次にステップＳ２で２回目の低周波マッサージを所定時間行い、ステップＳ３で上記振動マッサージユニット９を使用した振動マッサージと上記エアマッサージユニット１３を使用したエアマッサージの１回目の施療を同時に所定時間行う。
【００３１】
次に、ステップＳ４に移行し、上記低周波マッサージユニット１１を使用した３回目の低周波マッサージを所定時間行い、ステップＳ５で上記振動マッサージユニット９と上記エアマッサージユニット１３を使用した２回目の振動マッサージとエアマッサージを同時に所定時間行う。
そして、ステップＳ６に移行し、上記ステップＳ１〜Ｓ５の処理が所定回数ないし所定の残時間繰り返されたか否かが判断され、所定回数ないし所定時間繰り返されたと判断された場合には、当該作動メニューが終了し、所定回数ないし所定時間繰り返されていないと判断された場合には、上記ステップＳ１に戻り、ステップＳ１〜Ｓ５の処理が繰り返し実行される。
【００３２】
また、上記リモコン３７のモードボタン６７ｃを押すことによって切り替わる低周波治療の作動モードとしては、図１０に示す自動モードと、モード２〜モード５の計５段階の作動モードが一例として採用できる。
このうち、自動モードでは、１６．０〜５８．０Ｈｚの低周波のパルス電流が出力されて下記のモード２〜モード５を順番に繰り返す。また、モード２では、１６．０Ｈｚの低周波のパルス電流が出力されて擦られるような感覚が得られる。
【００３３】
また、モード３では、３４．０Ｈｚの低周波のパルス電流が出力されて揉まれるような感覚が得られる。また、モード４では、５８．０Ｈｚの低周波のパルス電流が出力されて押されるような感覚が得られる。
更に、モード５では、５８．０Ｈｚの低周波のパルス電流が出力されて叩かれるような感覚が得られるようになる。
この他、上記図示しない低周波マッサージ用のパットは、載置台３に対して設けられている図示しない低周波パットジャックにプラグを差し込んで使用する肩や腕、腰、もも、ふくらはぎ等の他の部位の低周波マッサージに使用される。
【００３４】
次に、このようにして構成される本実施に形態による足の温熱・マッサージ装置１の作動態様を下記に示す（１）〜（６）のメニューないし機能に分けて説明する。
まず、準備作業として付属の図示しないＡＣアダプタをコンセントに差し込み、ＡＣアダプタから延びるコードの先端のプラグを載置台３に設けられている図示しない電源ジャックに差し込む。
そして、載置台３に設けられている電源ボタン４５またはリモコン３７に設けられている電源ボタン６７ｅを押して電源をＯＮにすると、モニター表示部４７の表示が一例として点滅し、一例として３０分に設定されているタイマーがスタートする。
尚、施療は、椅子等に腰掛けて行い、足元の足を載せ易い位置に載置台３を予めセットしておく。
【００３５】
（１）作動メニューを使用する時
素足の状態で両足を載置台３の載置面１７に載せ、両足の裏側に電極と突起５７を作用させる。次に、載置台３に設けられているメニューボタン４３またはリモコン３７に設けられている、おまかせボタン６７ｄを押す。
上記メニューボタン４３または、おまかせボタン６７ｄを押すと、モニター表示部４７のおまかせ機能表示４９ｇが点灯し、前記温熱ユニット７が作動を開始して前記赤外線ヒータ５１を所定の温度に加温する。
【００３６】
次に、リモコン３７のつよいボタン６７ｇを１回ずつ押しながら好みの強さに調節し、強くなりすぎた場合にはリモコン３７のよわいボタン６７ｊを１回ずつ押して、強さを弱くする。
以下、前述した図９に示すフローチャートに示すように予め設定された作動メニューで所定回数ないし所定時間になるまで治療ないしマッサージが実行される。
【００３７】
（２）低周波機能だけを使用する時
素足の状態で両足を載置台３の載置面１７に載せ、両足の足裏に電極と突起５７を作用させる。次に、リモコン３７の足裏ボタン６７ｉを押すと、モニター表示部４７のモード表示４９ａと低周波強さ表示４９ｈが表示される。
次に、リモコン３７のモードボタン６７ｃを押して、図１０に示す５種類の作動モードの中から好みの作動モードを選択する。更に、リモコン３７のつよいボタン６７ｇと、よわいボタン６７ｊを上述したように１回ずつ押して好みの強さに調節する。
以下、タイマによって設定されている所定の残時間になるまで低周波マッサージユニット１１を使用した低周波マッサージが実行される。
【００３８】
（３）振動マッサージ機能だけを使用する時
素足の状態で両足を載置台３の載置面１７に載せ、両足の足裏に突起５７を作用させる。次に、リモコン３７のバイブボタン６７ａを押し、低、中、高、待機の順で強さを切り替えて好みの強さに調節する。
また、モニター表示部４７には上記振動マッサージユニット９の強さを表す強さ表示４９ｃが表示される。
以下、タイマによって設定されている所定の残時間になるまで振動モニタ２７が回転し、振動マッサージユニット１１を使用した振動マッサージが実行される。
【００３９】
（４）エアマッサージ機能だけを使用する時
素足の状態で両足を載置台３の載置面１７に載せ、両足の足裏に突起５７を作用させる。次に、リモコン３７のエアーボタン６７ｂを押し、低、中、高、待機の順で強さを切り替えて好みの強さに調整する。
また、モニター表示部４７にはエアマッサージ表示４９ｉとエアマッサージ強さ表示４９ｊが表示される。
以下、タイマによって設定されている所定の残時間になるまでエアパッド６１の膨張と収縮が繰り返されてエアマッサージユニット１３を使用したエアマッサージが実行される。
【００４０】
（５）付属の低周波パット機能を使用する時
低周波治療を行いたい部位に低周波パットを密着させた状態で貼り付ける。次に、低周波パットのプラグを載置台３の図示しないパットジャックに差し込んでリモコン３７のパットボタン６７ｈを押し、更に、リモコン３７のつよいボタン６７ｇと、よわいボタン６７ｊを１回ずつ適宜の回数押して好みの強さに調節する。
以下、タイマによって設定されている所定の残時間になるまで低周波パットを使用した低周波マッサージが実行される。
【００４１】
（６）温熱機能だけを使う時
素足の状態で両足を載置台３の載置面１７に載せ、両足の足裏に赤外線ヒータ５１と突起５７を作用させる。次に、リモコン３７の温熱ボタン６７ｆを押して温熱ユニット７を作動させる。
尚、上記温熱ボタン６７ｆは、１回押すごとにＯＮ、ＯＦＦが切り替わり、温熱ユニット７の作動中はモニター表示部４７の温熱表示４９ｄが点灯する。
【００４２】
そして、このようにして構成される本実施の形態による足の温熱・マッサージ装置１によれば、ユーザの症状や目的に合った治療ないしマッサージを前記複数のマッサージ機能の中から選択でき、これら複数のマッサージ機能を適宜、組み合わせることによって個別のマッサージ機能だけでは治療できなかった症状を改善することが可能になる。
また、前記各ユニット７、９、１１、１３の有する調整機能や制御装置１５が備える作動モードや作動メニューの切替え機能によって、種々のユーザに対応できる操作性と機能性に優れた足の温熱・マッサージ装置１が提供できるようになる。
【００４３】
尚、本考案の足の温熱・マッサージ装置１は、上記の実施の形態にものに限定されず、その考案の要旨内での変更が可能である。
例えば、載置台３とフード５を左足用のものと右足用のものに二分割し、施療を行いながら部屋の中を歩くことができるように構成したり、左足と右足を交互に施療する片側用の足の温熱・マッサージ装置１とすることも可能である。
【００４４】
この他、前記温熱ユニット７の温熱温度を調整できるようにしたり、タイマーによって設定される所定の残時間で赤外線ヒータ５１がＯＦＦになるように設定することが可能である。
また、制御装置１５において設定される作動メニューを代表的な施療メニューに合わせて複数用意して、その中からユーザが希望する作動メニューを選択できるようにしたり、ユーザが自分で作動メニューを設定できるように構成することも可能である。
【産業上の利用可能性】
【００４５】
本考案の足の温熱・マッサージ装置１は、足の甲や足裏の治療ないしマッサージを行うマッサージ装置の製造、使用分野等で利用でき、特に種々の症状に対応できる複数のマッサージ機能と多様の調整機能を有し、簡単な操作で操作することができる足の温熱・マッサージ装置を提供したい場合に利用可能性を有する。
【符号の説明】
【００４６】
１  足の温熱・マッサージ装置
３  載置台
５  フード
７  温熱ユニット
９  振動マッサージユニット
１１  低周波マッサージユニット
１３  エアマッサージユニット
１５  制御装置
１７  載置面
１９  上部ケース
２１  下部ケース
２３  電子基板
２５  エアコンプレッサ
２７  振動モータ
２９  窓部
３１  下端部
３３  係合凹部
３５  支持部材
３７  リモートコントローラ（リモコン）
３９  収容凹部
４１  マグネット
４３  メニューボタン
４４  凹部
４５  電源ボタン
４６  凹部
４７  モニター表示部
４９  表示
５１  赤外線ヒータ
５３  ユニット本体
５５  ゴム足
５７  突起
５９  防振リング
６１  エアパッド
６３  給気用のホース
６５  排気用のホース
６７  操作ボタン
【図１】
0003176982.tif 000003
【図２】
0003176982.tif 000004
【図３】
0003176982.tif 000005
【図４】
0003176982.tif 000006
【図５】
0003176982.tif 000007
【図６】
0003176982.tif 000008
【図７】
0003176982.tif 000009
【図８】
0003176982.tif 000010
【図９】
0003176982.tif 000011
【図１０】
0003176982.tif 000012